(57)【特許請求の範囲】
【請求項１】
複数の発光点を有する光源手段と、前記複数の発光点から射出された複数の光束を偏向手段に導光する入射光学手段と、前記偏向手段の偏向面により偏向された複数の光束を被走査面上に結像させる走査光学手段と、前記偏向手段の偏向面により偏向された光束を検知する同期検出器と、前記同期検出器に前記偏向手段の偏向面により偏向された複数の光束を導光する同期検出用光学系と、を備え、前記同期検出器から出力される同期信号を用いて前記被走査面上へ前記偏向手段の偏向面により偏向された複数の光束の画像記録の走査開始位置のタイミングを調整する走査光学装置であって、
前記光源手段と前記同期検出器は、同一の基板上に設けられており、前記基板は、前記入射光学手段の光軸方向に垂直な面内で、前記複数の発光点の重心位置を回動中心として回動可能な構造であり、前記同期検出用光学系は、前記同期検出用光学系を射出した光束の集光位置が主走査断面内と副走査断面内で一致しないように主走査断面内のパワーと副走査断面内のパワーが異なり、前記基板と一体化されて、前記基板を回転させたときに同期して回転する構造よりなり、前記同期検出器に入射する光束は、前記同期検出器の回転方向に沿うように副走査方向に長い形状をしていることを特徴とする走査光学装置。
【請求項２】
前記同期検出用光学系を通過した光束の主走査断面内の集光位置に副走査方向に長い開口の矩形スリットが設けられており、
前記矩形スリットは前記基板と一体化されており、前記基板を回転させたときに前記矩形スリットが同期して回転する構造としたことを特徴とする請求項１に記載の走査光学装置。
【請求項３】
請求項１又は２に記載の走査光学装置と、前記被走査面に配置された感光体と、前記走査光学装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項４】
請求項１又は２に記載の走査光学装置と、外部機器から入力したコードデータを画像データに変換して前記走査光学装置に入力せしめるプリンタコントローラとを有していることを特徴とする画像形成装置。
【発明の詳細な説明】
【０００１】
【発明の属する技術分野】
本発明は走査光学装置及びそれを用いた画像形成装置に関し、特に高速、高記録密度を達成するために光源手段として複数の発光点を有するマルチ半導体レーザを用いて画像形成を行うようにした、例えばレーザビームプリンタやデジタル複写機等の画像形成装置に好適なものである。
【０００２】
【従来の技術】
図５は複数の発光点を有する光源手段を用いた従来のマルチビーム走査光学装置の主走査方向の要部断面図（主走査断面図）である。
【０００３】
同図において２つの発光点５１Ａ，５１Ｂを有するマルチ半導体レーザ５１から出射した２つの光束（光ビーム）はコリメータ−レンズ５２により略平行光束に変換され、副走査方向にのみ所定の屈折力を有するシリンドリカルレンズ５４によって副走査方向にのみ収束される。
【０００４】
更に光軸から離れた２つの発光点５１Ａ，５１Ｂからたどる光束が異なることから発生する収差の差分が結像性能に影響するため、その影響を極力低減させるための開口絞り５３でその光束を整形して光偏向器であるポリゴンミラー５５の偏向面（反射面）５５ｃ近傍において主走査方向に長く伸びた焦線状に結像する。
【０００５】
そして図中矢印５５ｂ方向に一定角速度で回転しているポリゴンミラー５５によって反射偏向された２つの光束は走査レンズ系５６としての２つのｆθレンズ５６ａ、５６ｂによって被走査面としての感光ドラム面５７上にスポット状に各々集光され、図中矢印５７ｂ方向（主走査方向）に一定速度で走査される。
【０００６】
このようなマルチビーム走査光学装置においては図６に示すように２つの発光点５１Ａ，５１Ｂを副走査方向に直線的に並べて配置してしまうと感光ドラム面上での副走査方向の２つの走査線の間隔が記録密度よりも大幅に間隔が空いてしまうため、通常は図７に示すように２つの発光点５１Ａ，５１Ｂを副走査方向に対応する方向に対して傾けて配置し、その傾け角度θを調整することにより、感光ドラム面上での副走査方向の複数の走査線の間隔を記録密度に合わせて正確に調整している。
【０００７】
こうすることにより光線束の経路を極力一致させ、より高記録密度を達成することが可能となり、更にポリゴンミラーの駆動モータの回転数を発光点が１つのときに比べて１／２に抑えることができ、充分余裕を持って高速化へ対応することが可能となる。
【０００８】
【発明が解決しようとする課題】
ところで高速で高密度な走査を行うためには画像情報を書き出す時間的制御についても同様に対応が必要である。
【０００９】
図５には被走査面上の走査開始位置のタイミングを制御する同期検出手段（ＢＤ光学系）５８が設けられており、同期信号（ＢＤ信号）を検出するための同期検出器（ＢＤセンサー）５９と該同期検出器５９に同期検出用の光束（ＢＤ光束）を導くための同期検出用光学系（ＢＤレンズ）６０とが配置されている。
【００１０】
前述の如くシリンドリカルレンズ５４によって副走査方向にのみ収束光束とされた光束は偏向面５８ｃ近傍で主走査方向に伸びた線状の光束とされ、同期検出用光学系６０に対して主走査断面内は略平行光束として、副走査断面内は発散光束として入射する。
【００１１】
同期検出用光学系６０は主走査断面内と副走査断面内にそれぞれ独立した焦点距離を有しており、該主走査断面内と副走査断面内にそれぞれに対して同期検出器５９に集光するよう適したパワーが与えられており、光束は該同期検出器５９面上でスポットを形成する。
【００１２】
更に電気部品である光源の半導体レーザ５１と同期検出器５９は、従来別の基板を使った独立した回路構成とされていたが、近年では組立工数の低減や部品点数の削減によるコストダウンのために、該半導体レーザ５１と同期検出器５９とを同一基板６１上に配した工夫がなされている。
【００１３】
但し、この場合、同一基板６１上に半導体レーザ５１と同期検出器５９とが配置されることから、その位置合せが重要となってくることは明白である。
【００１４】
この位置合せに対しては従来からは、特にマルチビーム光源の場合、該マルチビーム光源を副走査方向のピッチ調整のために光軸周りに回転させることが行われているが、これは同時に同期検出器に対してもその集光位置が回転していくこととなる。
【００１５】
つまりマルチビーム光源の回転により移動したスポットを同期検出器に入射させるため、例えば図８に示すようにマルチビーム光源を中心として回転させるような構造がとられていたが、この構造においては回転時に同期検出器から集光点が外れてしまう恐れがあるため移動範囲が十分取れず、また外れた場合には同期検出器かマルチビーム光源の端子の足を曲げるなどして位置そのものをずらす等の作業が必要となり、調整に過大な時間を費やしていた。
【００１６】
本発明は光源手段を構成する光源と、該同期検出手段を構成する同期検出器とを同一の基板上に配置した際、その位置関係を良好に保ち、被走査面上への走査開始位置のタイミングの高精度化を可能とする走査光学装置及びそれを用いた画像形成装置の提供を目的とする。
【００１７】
また本発明は位置合せを簡易な方法とし、部品点数の削減やその位置合せに調整に必要な作業時間を短縮することによるコスト削減をも図ることが可能な走査光学装置及びそれを用いた画像形成装置の提供を目的とする。
【００１８】
【課題を解決するための手段】
請求項１の発明の走査光学装置は、複数の発光点を有する光源手段と、前記複数の発光点から射出された複数の光束を偏向手段に導光する入射光学手段と、前記偏向手段の偏向面により偏向された複数の光束を被走査面上に結像させる走査光学手段と、前記偏向手段の偏向面により偏向された光束を検知する同期検出器と、前記同期検出器に前記偏向手段の偏向面により偏向された複数の光束を導光する同期検出用光学系と、を備え、前記同期検出器から出力される同期信号を用いて前記被走査面上へ前記偏向手段の偏向面により偏向された複数の光束の画像記録の走査開始位置のタイミングを調整する走査光学装置であって、
前記光源手段と前記同期検出器は、同一の基板上に設けられており、前記基板は、前記入射光学手段の光軸方向に垂直な面内で、前記複数の発光点の重心位置を回動中心として回動可能な構造であり、前記同期検出用光学系は、前記同期検出用光学系を射出した光束の集光位置が主走査断面内と副走査断面内で一致しないように主走査断面内のパワーと副走査断面内のパワーが異なり、前記基板と一体化されて、前記基板を回転させたときに同期して回転する構造よりなり、前記同期検出器に入射する光束は、前記同期検出器の回転方向に沿うように副走査方向に長い形状をしていることを特徴としている。
【００１９】
請求項２の発明は請求項１の発明において、前記同期検出用光学系を通過した光束の主走査断面内の集光位置に副走査方向に長い開口の矩形スリットが設けられており、
前記矩形スリットは前記基板と一体化されており、前記基板を回転させたときに前記矩形スリットが同期して回転する構造としたことを特徴としている。
【００２０】
請求項３の発明の画像形成装置は、請求項１又は２に記載の走査光学装置と、前記被走査面に配置された感光体と、前記走査光学装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【００２１】
請求項４の発明の画像形成装置は、請求項１又は２に記載の走査光学装置と、外部機器から入力したコードデータを画像データに変換して前記走査光学装置に入力せしめるプリンタコントローラとを有していることを特徴としている。
【００３２】
【発明の実施の形態】
［実施形態１］
図１は本発明の実施形態１の主走査方向の要部断面図(主走査断面図)である。
【００３３】
尚、本明細書において偏向手段によって光束（光ビーム）が反射偏向（偏向走査）される方向を主走査方向、走査光学手段の光軸及び主走査方向と直交する方向を副走査方向と定義する。
【００３４】
同図において１は光源手段であり、２つの発光点１Ａ，１Ｂを有するマルチ半導体レーザ（光源）より成っている。この２つの発光点１Ａ，１Ｂは主走査方向及び副走査方向に対して各々離れて配置されている。
【００３５】
２はコリメーターレンズであり、光源手段１から射出した光束を所望の拡がり角に規制している。尚、コリメーターレンズ２で規制される光束は収束光束、発散光束、略平行光束と、必要に応じてその形態がとられるが、ここでは説明を簡単にするために略平行光束としている。
【００３６】
４はシリンドリカルレンズであり、副走査方向のみに所定の屈折力を有しており、コリメーターレンズ２で規制された略平行光束を後述するポリゴンミラー５の偏向面５ｃ近傍にて副走査方向に収束（主走査方向に長手の線像）させている。偏向面５ｃ近傍において光源手段１の発光点１Ａと発光点１Ｂから射出した光束の収束点はわずかに副走査方向に間隔をもって結像される。これは被走査面７において既に知られているように２つの光束が副走査方向に走査間隔だけ離れて結像するよう光源であるマルチ半導体レーザ１を光軸周りに回転させてｆθレンズ系６の副走査倍率分と合わせて考慮された間隔に配置されているものである。
【００３７】
尚、コリメーターレンズ２、シリンドリカルレンズ４等の各要素は入射光学手段２１の一要素を構成している。
【００３８】
３は開口絞りであり、シリンドリカルレンズ４より出射された２つの光束を所望の最適なビーム形状に成形している。本実施形態における開口絞り３はポリゴンミラー５の近傍、図中では偏向面５ｃへの入射直前の場所に配置されており、これにより偏向面５ｃでの光束の不一致を低減し、走査線間での収差の発生度合いを極力差が出ないようにしている。
【００３９】
５は偏向手段としての光偏向器であり、例えば回転多面鏡（ポリゴンミラー）より成り、モータ等の駆動手段（不図示）により図中矢印５ｂ方向に一定速度で回転している。
【００４０】
６は集光機能とｆθ特性を有する走査光学手段（ｆθレンズ系）であり、第１、第２の２枚の走査レンズ（ｆθレンズ）６ａ，６ｂを有し、該２枚の走査レンズ６ａ，６ｂは走査線と同じ平面内の主走査断面とそれと垂直な方向の副走査断面で異なった形状に形成されている。
【００４１】
ｆθレンズ系６は主走査断面内においてはポリゴンミラー５の回転で作られるｆθレンズ系６への入射角θに対応した像高で良好なる結像性能が得られるよう、第１、第２のｆθレンズ６ａ、６ｂともに非球面で形成されている。また副走査断面内についてはポリゴンミラー５の偏向面５ｃ近傍で一旦収束している光束を、同図に示すように被走査面７上にスポットとして形成されるようパワーが配分され、その形状は第２のｆθレンズ６ｂについては主走査方向に沿って曲率が異なるような形状とされ、画角周辺まで結像性能を維持している。
【００４２】
また必要に応じて第１、第２のｆθレンズ６ａ、６ｂのうち少なくとも一方をシフトや傾けなどで光軸Ｌから偏芯させて使用したり、あるいはｆθレンズ系６そのものを主走査方向に沿った方向で非対称とするなどして、主走査方向の両側で異なった最端画角に対応して結像性能が得られるようにすることもできる。
【００４３】
またｆθレンズ系６はポリゴンミラー５により偏向された２つの光束を感光ドラム面７上にスポット状に結像させ、２本の走査線を形成している。さらにｆθレンズ系６は副走査断面内においてポリゴンミラー５の偏向面５ａ近傍と感光ドラム面７近傍との間を共役関係にすることにより、倒れ補正機能を有している。
【００４４】
７は被走査面としての感光ドラム面である。感光ドラム面７はｆθレンズ系６の光軸Ｌに対して副走査方向にαなる角度で光束が入射するよう、該光軸Ｌからシフトして配置されている。これは感光ドラム面７からの戻り光が発生した場合でも元の光路を辿って光源１に戻らないようにするためである。
【００４５】
８は同期検出手段であり、同期検出用光学系（ＢＤレンズ）１０と同期同期検出器（ＢＤセンサー）９とを有しており、該同期検出器９で検知して得られた同期信号（ＢＤ信号）を用いて感光ドラム面７上への画像記録の走査開始位置のタイミングを調整している。
【００４６】
同期検出用光学系１０は主走査断面内と副走査断面内にそれぞれ独立した焦点距離を有し、該同期検出用光学系１０を通過した光束の集光位置が主走査断面内と副走査断面内で一致しないように形成されている。即ち、同期検出用光学系１０は主走査断面内と副走査断面内でのパワーが互いに異なっている。また同期検出用光学系１０には光束が主走査断面内では略平行光束が入射し、副走査断面内では拡散光束が入射する。
【００４７】
本実施形態においては光源１と同期検出器９は同一の基板１１上に配置されている。基板１１は入射光学手段２１の光軸４ａ方向と垂直な面内で光源１の発光点の重心位置（尚、ここで重心位置とは発光点の一端から他端までの距離の半分の位置のことである。）又はその近傍を回動中心として回動可能な構造であり、また同期検出器９に入射する光束は副走査方向に長い形状と成るようにしている。同期検出用光学系１０は基板１１と一体構成した筐体１３の一部に固定、もしくは基板１１と独立に構成している。
【００４８】
本実施形態において画像情報に応じてマルチ半導体レーザ１から光変調され出射した２つの光束はコリメーターレンズ２により略平行光束に変換され、シリンドリカルレンズ４に入射する。シリンドリカルレンズ４に入射した光束のうち主走査断面内においてはそのままの状態で出射して開口絞り３を通過する（一部遮光される）。また副走査断面内においては収束して開口絞り３を通過し（一部遮光される）光偏向器５の偏向面５ｃにほぼ線像（主走査方向に長手の線像）として結像する。そして光偏向器５の偏向面５ｃで反射偏向された２つの光束は各々走査光学手段６により感光ドラム面７上にスポット状に結像され、該光偏向器５を矢印５ｂ方向に回転させることによって、該感光ドラム面７上を矢印７ｂ方向（主走査方向）に等速度で光走査している。これにより記録媒体である感光ドラム面７上に２本の走査線を同時に形成し、画像記録を行っている
このとき感光ドラム面７上を光走査する前に該感光ドラム面７上の走査開始位置のタイミングを調整する為に、光偏向器５で反射偏向された２つの光束の一部を同期検出用光学系１０により同期検出器９に導光している。そして同期検出器９からの出力信号を検知して得られた同期信号（ＢＤ信号）を用いて感光ドラム面７上への画像記録の走査開始位置のタイミングを各ＢＤ光束毎に調整している。
【００４９】
尚、図１は説明を簡便にする為に発光点を２個用いた２ビーム走査光学装置を示しているが、発光点は３つ以上でも良い。
【００５０】
次に本実施形態の特徴について図２（Ａ），（Ｂ）を用いて説明する。
【００５１】
図２（Ａ）は光源１と同期検出器９とを同一基板１１上に取り付けた直後の調整前の状態を示しており、図２（Ｂ）は調整後（基板１１を光源１の２つの発光点１Ａ、１Ｂの重心位置１ｃ又はその近傍を回動中心として回動させた後）の状態を示している。
【００５２】
光源１から出射した２つの光束の一部は光偏向器５を介し同期検出用光学系１０により同期検出器９へ向けられているが、該同期検出用光学系１０の副走査断面内においては主走査断面内と比較して弱いパワーしか与えられておらず、該同期検出器９においては結像位置に達していない。
【００５３】
同期検出用光学系１０は主走査断面内（図１の面内）に対して同期検出器９上で光束が結像するようパワーが与えられているので、結果として同期検出器９上では副走査方向に長い形状の光束として存在することとなる。このとき被走査面上における走査線ピッチの間隔を光源１を回転させることによって調整する。
【００５４】
基板１１の回転は光源１の２つの発光点１Ａ、１Ｂの重心位置１Ｃを中心として入射光学手段２１の光軸４ａ周りに回転され、同一基板１１に載せられている同期検出器９も同じ方向に同角度回転する。
【００５５】
このとき同期検出用光学系１０が基板１１と一体的に構成されているときは基板１１と一体的に回転する。すると同期して図２（Ｂ）に示すように光束の状態も（イ）から（ロ）へ変化する。しかしながら光束が回転方向におよそ沿うような細長い形状の光束のため、同期検出器９から光束が外れることはなく、回転による光量の変化の影響も微小なため安定した同期検出が行える。
【００５６】
ここで同期検出用光学系１０の副走査断面内のパワーは同期検出器９で結像しない弱いパワーとしたが、状況に応じて、逆に副走査断面内のパワーを強くし、主走査断面内の結像位置よりも前に設定して副走査断面内の結像点よりも後ろに同期検出器９を配置しても同様の効果が得られる。
【００５７】
この際、同期検出用光学系１０としては１面以上のシリンドリカル面や１面以上のトーリック面（トロイダル面）を含むレンズやプリズムで構成することで主走査断面内及び副走査断面内に対して最適な結像位置を与えることができる。
【００５８】
また同期検出用光学系１０を１面以上の回折面を含む１枚ないし複数枚のレンズ構成とし、この回折面に適宜パワーを配分することにより収差上の有利性や構成枚数の簡略化の利便性などと共に同様の効果が得られる。
【００５９】
また同期検出用光学系１０を集光又は発散性能を有する面と、主走査方向を軸として傾けた平面からなる光学素子とを有するように構成すれば、射出光束を所定の方向に偏向させることができ、これにより同期検出器９に入射する光束を制限することができる。
【００６０】
尚、本実施形態では光源手段を複数の発光点を有するマルチ半導体レーザーより構成したが、単一の発光点を有する半導体レーザ（光源）より構成しても本発明は実施形態１と同様に適用することができる。このときは光源と同期検出器とを配置した基板を光源の位置又はその近傍を回動中心として回動させれば良い。
【００６１】
また本実施形態においてはコリメーターレンズ２とシリンドリカルレンズ４等を用いずに、光源手段１からの光束を直接開口絞り３を介して光偏向器５に導光しても良い。
【００６２】
また本実施形態においては走査光学手段を２枚のレンズより構成したが、これに限らず、例えば単一、もしくは３枚以上のレンズより構成しても良い。
【００６３】
［実施形態２］
図３（Ａ），（Ｂ）は各々本発明の実施形態２の主要部分の要部断面図である。図３（Ａ），（Ｂ）において図２に示した要素と同一要素には同一符番を付している。
【００６４】
本実施形態において前述の実施形態１と異なる点は、光源１の重心位置１ｃを回転軸とし、その周りに回転する基板１１と同期して回転する同期検出器９の前方に主走査方向の光束を制限する矩形スリット（絞り）１２を配置したことである。その他の構成および光学的作用は実施形態１と略同様であり、これにより同様な効果を得ている。
【００６５】
即ち、同図において１２は副走査方向に長い開口の矩形スリット（絞り）であり、同期検出用光学系（不図示）を通過した光束の主走査断面内の集光位置に配置され、基板１１を回転させたときに同期して回転する構造より成っている。
【００６６】
本実施形態では上記の如く同期検出用光学系の主走査断面内の結像位置に絞り１２を配置し、主走査断面内での所謂ＢＤ信号の切れを良くしたものである。
【００６７】
つまり副走査方向に長い開口の矩形スリット１２を配置して、主走査方向に走査される光束のうち、利用されるのは該矩形スリット１２をよぎった間の時間のみであるので、該矩形スリット１２を置いていない設定に比べて常にＢＤ光束を受光する時間が一定化され、より確実な同期検出が可能となる。
【００６８】
しかも光源１と同期検出器９が載っている基板１１と一体化して回転するため回転により位置関係がずれてしまうこともない。またこの際にも同期検出器９に入射する光束は副走査方向に長い形状としているため、前述のような基板１１の回転を行っても光束を見失うことはない。
【００６９】
［画像形成装置］
図４は、前述した実施形態１又は２の走査光学装置を用いた画像形成装置（電子写真プリンタ）の実施形態を示す副走査断面内における要部断面図である。図４において、符号１０４は画像形成装置を示す。この画像形成装置１０４には、パーソナルコンピュータ等の外部機器１１７からコードデータＤｃが入力する。このコードデータＤｃは、装置内のプリンタコントローラ１１１によって、画像データ（ドットデータ）Ｄｉに変換される。この画像データＤｉは、各実施形態１、２で示した構成を有する光走査ユニット１００に入力される。そして、この光走査ユニット（走査光学装置）１００からは、画像データＤｉに応じて変調された光ビーム（光束）１０３が射出され、この光ビーム１０３によって感光ドラム１０１の感光面が主走査方向に走査される。
【００７０】
静電潜像担持体（感光体）たる感光ドラム１０１は、モータ１１５によって時計廻りに回転させられる。そして、この回転に伴って、感光ドラム１０１の感光面が光ビーム１０３に対して、主走査方向と直交する副走査方向に移動する。感光ドラム１０１の上方には、感光ドラム１０１の表面を一様に帯電せしめる帯電ローラ１０２が表面に当接するように設けられている。そして、帯電ローラ１０２によって帯電された感光ドラム１０１の表面に、前記光走査ユニット１００によって走査される光ビーム１０３が照射されるようになっている。
【００７１】
先に説明したように、光ビーム１０３は、画像データＤｉに基づいて変調されており、この光ビーム１０３を照射することによって感光ドラム１０１の表面に静電潜像を形成せしめる。この静電潜像は、上記光ビーム１０３の照射位置よりもさらに感光ドラム１０１の回転断面内における下流側で感光ドラム１０１に当接するように配設された現像器１０７によってトナー像として現像される。
【００７２】
現像器１０７によって現像されたトナー像は、感光ドラム１０１の下方で、感光ドラム１０１に対向するように配設された転写ローラ（転写器）１０８によって被転写材たる用紙１１２上に転写される。用紙１１２は感光ドラム１０１の前方（図４において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【００７３】
以上のようにして、未定着トナー像を転写された用紙１１２はさらに感光ドラム１０１後方（図４において左側）の定着器へと搬送される。定着器は内部に定着ヒータ（図示せず）を有する定着ローラ１１３とこの定着ローラ１１３に圧接するように配設された加圧ローラ１１４とで構成されており、転写部から撒送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【００７４】
図４においては図示していないが、プリントコントローラ１１１は、先に説明したデータの変換だけでなく、モータ１１５を始め画像形成装置内の各部や、光走査ユニット１００内のポリゴンモータなどの制御を行う。
【００７５】
【発明の効果】
本発明によれば前述の如く光源手段を構成する光源と、同期検出手段を構成する同期検出器とを同一の基板上に設け、該基板を入射光学手段の光軸方向に垂直な面内で回動可能な構造とし、同期検出器に入射する光束を副走査方向に長い形状と成るように構成することにより、簡単な位置合わせでも高精度な同期検出が可能となり、これにより高密度化された高性能な走査光学装置及びそれを用いた画像形成装置を達成することができる。
【００７６】
更に本発明によれば前述の如く複雑な、または微妙な調整も必要ないため、組立時の工数が大幅に短縮され、これにより低コストに対して優れた走査光学装置及びそれを用いた画像形成装置を達成することができる。
【図面の簡単な説明】
【図１】  本発明の実施形態１の走査光学装置の主走査断面図
【図２】  （Ａ）は本発明の実施形態１の光源と同期検出素子とを同一基板に配置したときの図、（Ｂ）は基板を回転させたときの図
【図３】  本発明の実施形態２の説明図であり、（Ａ）は光源と同期検出素子とを同一基板に配置したときの図、（Ｂ）は基板を回転させたときの図
【図４】  本発明の走査光学装置を用いた画像形成装置（電子写真プリンタ）の構成例を示す副走査断面図
【図５】  従来の走査光学装置の主走査断面図
【図６】  ２つの発光点を副走査方向に直線的に並べて配置した図
【図７】  ２つの発光点を副走査方向に対応する方向に対して傾けて配置した図
【図８】  マルチビーム光源を中心として回転させたときの図
【符号の説明】
１  光源手段（半導体レーザ）
２  コリメーターレンズ
３  絞り
４  シリンドリカルレンズ
５  偏向手段（ポリゴンミラー）
６  走査光学手段（ｆθレンズ系）
７  被走査面
８  同期検出手段
９  同期検出器
１０  同期検出用光学系
１１  基板
１３  筐体
２１  入射光学手段
１００  走査光学装置
１０１  感光ドラム
１０２  帯電ローラ
１０３  光ビーム
１０４  画像形成装置
１０７  現像装置
１０８  転写ローラ
１０９  用紙カセット
１１０  給紙ローラ
１１１  プリンタコントローラ
１１２  転写材（用紙）
１１３  定着ローラ
１１４  加圧ローラ
１１５  モータ
１１６  排紙ローラ
１１７  外部機器
【図１】
0004708629.tif 000002
【図２】
0004708629.tif 000003
【図３】
0004708629.tif 000004
【図４】
0004708629.tif 000005
【図５】
0004708629.tif 000006
【図６】
0004708629.tif 000007
【図７】
0004708629.tif 000008
【図８】
0004708629.tif 000009